(57)【要約】【課題】ミニサイズの写真等のシート状小片を収納・展示するに際し、変化に富む拡張性のある組合せを行って、比較的幼い子供であっても飽きずに楽しめるシート状小片展示収納具の提供。【解決手段】連結手段４を介して相互が接離自在に連結される２個以上の表示体２，３により構成され、これら各表示体２，３は、少なくともいずれか一方の面に写真などの表示媒体からなるシート状小片Ｐを収納する収納部２２，３２を設けたケース本体部２１，３１と、これらのケース本体部２１，３１の収納部２２，３２に覆設されてシート状小片Ｐを保護する透明カバー２４，３４とを備えるとともに、相互に連結させた各表示体２，３は、少なくとも１の表示体２に付設されたマグネット体２６からなる姿勢保持体２５に支持させて、その展示を自在に形成した。【選択図】図２
2005168909.tif 000002
【特許請求の範囲】
【請求項１】
連結手段を介して相互が接離自在に連結される２個以上の表示体により構成され、
これら各表示体は、少なくともいずれか一方の面に写真などの表示媒体からなるシート状小片を収納する収納部を設けたケース本体部と、該ケース本体部の前記収納部に覆設されて前記シート状小片を保護する透明カバーとを備えるとともに、
相互に連結させた各表示体は、少なくとも１以上の前記表示体に付設された姿勢保持体に支持させて、その展示を自在に形成したことを特徴とするシート状小片収納展示具。
【請求項２】
前記姿勢保持体は、磁性相手材への磁着が自在なマグネット体および／または水平面上での前記表示体の起立を自在とした起伏スタンドである請求項１に記載のシート状小片収納展示具。
【請求項３】
前記連結手段は、適宜形状を呈する一方の表示体と、略矩形形状を呈する他方の表示体との連結時における対面部位相互に設けた各穴部と、これらの穴部を介して配置される連結杆とからなる請求項１または２に記載のシート状小片収納展示具。
【請求項４】
前記連結杆は、略Ｈ形状を呈して前記穴部への可撓性を伴った圧入を自在とした請求項３に記載のシート状小片収納展示具。
【請求項５】
前記連結手段は、適宜形状を呈する一方の前記表示体に突設された連結軸部と、該連結軸部を保持すべく略矩形形状を呈する他方の前記表示体に設けられた穴部とからなる請求項１または２に記載のシート状小片収納展示具。
【請求項６】
前記連結軸部は、前記穴部への可撓性を伴った圧入が自在な少なくとも二股以上の分岐部からなる請求項５に記載のシート状小片収納展示具。
【請求項７】
前記連結手段は、略矩形形状を呈する一方の前記表示体に突設された嵌合凸部と、同じく同一の略矩形形状を呈する他方の前記表示体の対応部位に設けられて前記嵌合凸部と嵌合する嵌合凹部とからなる請求項１または２に記載のシート状小片の収納展示具。
【請求項８】
前記嵌合凹部のそれぞれは、前記嵌合凸部の差込み停止位置を規制するストッパーを備える請求項７に記載のシート状小片収納展示具。
【請求項９】
略矩形形状を呈する前記表示体は、長辺と短辺との長さ比が２：１である請求項３，４，５，６，７または８のいずれかに記載のシート状小片収納展示具。
【請求項１０】
前記連結手段を構成する前記穴部は、前記表示体の各辺の長さ方向での中心位置に設けてある請求項３，４，５または６のいずれかに記載のシート状小片収納展示具。
【請求項１１】
前記連結手段を構成する前記嵌合凸部は、１の前記表示体において相互に隣接する一方の前記長辺と前記短辺との所定位置に設け、前記嵌合凹部は、同一の前記表示体の他方の前記長辺と前記短辺とにおける前記嵌合凸部との対応位置に設けた請求項７または８に記載のシート状小片収納展示具。
【発明の詳細な説明】
【技術分野】
【０００１】
本発明は、比較的薄いシート状小片、例えば携帯電話機などで撮影してプリントされた写真等を含む各種のキャラクターが表示されたシート状小片を収納・展示するに際し、バラエティに富んだ組合せのもとでその変化を楽しむことができるシート状小片収納展示具の構造に関する技術である。
【背景技術】
【０００２】
友人、家族等の写真や旅行のスナップ写真などからなるシート片は、アルバムに収納して時折ながめて楽しんだり、フォトスタンドや額に入れて装飾物として楽しまれたりしている。特に、友人、家族、ペットなど心和ませる対象を被写体とした写真等は、癒し効果に富むため、比較的身近な場所に飾られることが多い。
【０００３】
ところで、近年では、電子部品小型化等の技術進歩に歩調を合わせ、写真撮影が可能なカメラ付携帯電話機も提供されるに至っている。しかも、この種のカメラ付携帯電話機は、友人や家族等の写真をいつでも、どこでも撮影することができる簡便性があることもあって、今後も大きな普及が見込まれている。
【０００４】
ところで、この種のカメラ付携帯電話機で取得された撮像情報は、パーソナルコンピュータなどに一旦接続し、アプリケーションソフトを立ち上げてからプリントしなければならなず、作業的な煩雑さがあった。このため、カメラ付携帯電話機の撮像情報は、プリントして収納・保存されるというよりは、待ち受け画面やメール送信などで利用されることが多かった。
【０００５】
このような状況下にあって、最近では、カメラ付携帯電話機を介して取得した撮像情報を写真にするための専用プリンタも開発され、該携帯電話機から直接的に、例えば、写真サイズが縦３７ｍｍ、横２９ｍｍといった略切手程度の大きさのシール状小片としてプリントすることもできるようになってきている。このため、一般の写真と同様にカメラ付携帯電話機からも撮像情報を手軽にプリントして写真として収納・保存することにより、簡便に楽しむことができるようになっている。
【０００６】
この場合、ミニサイズの写真を含むこの種のシール状小片は、その大きさに対応させた汎用的な収納具に収納・保管することも考えられる。しかしながら、例えば、バラエティに富む各種組合せを楽しむためには、各シール状小片を各別に収納してある各収納具のそれぞれを雑然と壁面に飾ったり、棚などに立て掛けておくのでは見栄えが悪く、装飾的にも好ましくない。また、シート状小片を新しくプリントしたものと入れ替えようとする場合には、ミニサイズのシール状小片をその都度出し入れしなければならず、煩雑であるといった問題もある。
【０００７】
一方、通常サイズの写真を収納する写真収納ケースに関しては、好みの写真を簡単に表示させることができると同時に、複数枚の写真であっても容易に保管しておくこともできる写真収納ケースが既に提案されている。
【特許文献１】特開平１０−７１０６６号公報
【発明の開示】
【発明が解決しようとする課題】
【０００８】
しかし、特許文献１の開示技術は、現像上がりの写真を重ねて収納することができる上、表示窓から任意の写真を表示して写真立てとしても利用可能ではあるものの、略切手サイズの写真のようなミニサイズのシート状小片を秩序立てて収納できるようにしたものではないばかりでなく、複数枚の写真を同時に展示できる一面性と拡張性とを備えるものでもない点で、課題を残すものであった。
【０００９】
本発明は、上記課題に鑑みてなされたものであり、カメラ付携帯電話機等を介して取得された撮像情報をプリントして得られるミニサイズの写真等のシート状小片を収納・展示するに際し、バラエティに富んだ拡張性のある組合せを楽しむことができるほか、比較的幼い子供であっても簡単に相互の連結・組合せを行うことができる変化と装飾性に富む飽きのこないシート状小片展示収納具を提供することにその目的がある。
【課題を解決するための手段】
【００１０】
本発明は、上記目的を達成すべくなされたもので、連結手段を介して相互が接離自在に連結される２個以上の表示体により構成され、これら各表示体は、少なくともいずれか一方の面に写真などの表示媒体からなるシート状小片を収納する収納部を設けたケース本体部と、該ケース本体部の前記収納部に覆設されて前記シート状小片を保護する透明カバーとを備えるとともに、相互に連結させた各表示体は、少なくとも１以上の前記表示体に付設された姿勢保持体に支持させて、その展示を自在に形成したことを特徴としている。
【００１１】
この場合、前記姿勢保持体は、磁性相手材への磁着が自在なマグネット体および／または水平面上での前記表示体の起立を自在とした起伏スタンドで形成することができる。また、前記連結手段は、適宜形状を呈する一方の表示体と、略矩形形状を呈する他方の表示体との連結時における対面部位相互に設けた各穴部と、これらの穴部を介して配置される連結杆とで形成したり、適宜形状を呈する一方の前記表示体に突設された連結軸部と、該連結軸部を保持すべく略矩形形状を呈する他方の前記表示体に設けられた穴部とで形成することができる。しかも、前記連結手段を構成している前記穴部は、前記表示体の各辺の長さ方向での中心位置に設けておくのが望ましい。
【００１２】
この場合、前記連結手段を構成している前記連結杆は、略Ｈ形状を呈して前記穴部への可撓性を伴った圧入を自在に形成することができる。また、同じく前記連結手段を構成している前記連結軸部は、前記穴部への可撓性を伴った圧入が自在な少なくとも二股以上の分岐部として形成することができる。
【００１３】
また、前記連結手段は、略矩形形状を呈する一方の前記表示体に突設された嵌合凸部と、同じく同一の略矩形形状を呈する他方の前記表示体の対応部位に設けられて前記嵌合凸部と嵌合する嵌合凹部とで形成することもできる。この場合、該嵌合凹部のそれぞれには、前記嵌合凸部の差込み停止位置を規制するストッパーを具備させておくこともできる。また、前記嵌合凸部は、１の前記表示体において相互に隣接する一方の前記長辺と前記短辺との所定位置に設け、前記嵌合凹部は、同一の前記表示体の他方の前記長辺と前記短辺とにおける前記嵌合凸部との対応位置に設けておくのが望ましい。
【００１４】
さらに、本発明における略矩形形状を呈する前記表示体は、長辺と短辺との長さ比が２：１となるようにして形成しておくのが好ましい。
【発明の効果】
【００１５】
このため、本発明によれば、接離自在に連結される２個以上の表示体には、それぞれの収納部を介して写真などの表示媒体からなるシート状小片を収納・展示させておくことができるので、趣味性と実益性とを兼備させた各種の表示パターンを楽しむことができる。また、相互に連結させた表示体が姿勢保持体を備えている場合には、所定位置に安定的に展示しておくことができる。さらに、各表示体の表裏両面に収納部を設けてある場合には、１の表示体の表裏二面を展示面として確保することができるので、さらに変化に富む展示機能を付与することができる。
【００１６】
また、各表示体は、前記連結手段を介することで、上下左右方向に所望に応じた自由な組合せのもとで連続的に連結することができるので、それだけ変化に富む拡張性を付与することができる。しかも、略矩形形状を呈する各表示体がその長辺と短辺との長さ比を２：１として形成されている場合には、各表示体を縦横方向での配列のもとで面一性を付与して相互に連続連結させることができるので、さらに優れた拡張性を付与することができる。
【００１７】
さらに、略矩形形状を呈する一方の前記表示体に突設された嵌合凸部と、同じく同一の略矩形形状を呈する他方の前記表示体の対応部位に設けられて前記嵌合凸部と嵌合する嵌合凹部とで前記連結手段を構成し、前記嵌合凹部のそれぞれに前記嵌合凸部の差込み停止位置を規制するストッパーを具備させてある場合には、常に正しく位置決めしながら各表示体相互を連続的に連結させることができる。
【００１８】
しかも、表示体相互の連結は、比較的幼い子供であっても容易に行うことができるので、誰もが手軽に、かつ、簡単に各表示体を連結させながら、好みのシート状小片を適宜の組合せのもとで各別に展示することができ、変化とバラエティに富んだ飽きのこない展示効果を楽しむことができる。
【発明を実施するための最良の形態】
【００１９】
図１は、本発明の一例についての正面図を、図２は、図１におけるＡ−Ａ線矢視方向での断面についての分解説明図をそれぞれ示す。これらの図によれば、シート状小片収納展示具１は、連結手段４を介して相互が接離自在に連結される上下２個の表示体２，３により構成されている。
【００２０】
このうち、上方に位置して種々の装飾的用途にも供し得るフリースペースとしても利用可能な略円形形状を呈するする表示体２は、図２に示されているように、その表面２１ａ側に写真などを含む各種のキャラクターを表示媒体とするシート状小片Ｐを収納すべくその周縁部を隆起させた保持枠部２３により囲繞形成された収納部２２を有するケース本体部２１と、該収納部２２に着脱自在に覆設されてシート状小片Ｐを保護する透明カバー２４と、ケース本体部２１の裏面２１ｂ側に姿勢保持体２５として固着されているマグネット体２６とを備えている。なお、図中の符号２８は、透明カバー２４を収納部２２側から引き剥がす際にピンなどを差し込むための差込口を示す。
【００２１】
また、下方に位置して略矩形形状を呈する表示体３は、図２からも明らかなように、その表裏両面３１ａ，３１ｂに例えばカメラ付携帯電話機等を介して取得された撮像情報をプリントして得られるミニサイズの写真などを表示媒体とするシート状小片Ｐを収納すべく、それぞれの周縁部を隆起させた保持枠部３３により囲繞形成された収納部３２を各別に設けたケース本体部３１と、これらの各収納部３２に各別に着脱自在に覆設されて各シート状小片Ｐを保護する透明カバー３４とを備ている。なお、図中の符号３６は、各透明カバー３４を収納部３２側から引き剥がす際にピンなどを差し込むための差込口をそれぞれ示す。
【００２２】
しかも、図２に示す例における連結手段４は、上方に位置する表示体２と、下方に位置する表示体３との連結時における対面部位相互に設けた各穴部２７，３５と、これらの穴部２７，３５を介して配置される連結杆４１とで形成されている。該連結杆４１は、両穴部２７，３５双方の合計深さよりもやや短い長さが付与されて形成されており、両穴部２７，３５が円形であれば該円形形状と対応合致して圧入される棒状に、両穴部２７，３５が矩形であれば該矩形形状と対応合致して圧入される角柱状となって形成されている。この場合、連結杆４１は、プラスチック等の非弾性材やゴム等の弾性材により形成することができ、上方に位置する表示体２の下端面に対しその接線方向と直交する方向に設けた穴部２７にその一端部４１ａを、下方に位置する連結体３の上端面に対しその面方向と直交する方向に設けた穴部３５に他端部４１ｂをそれぞれ圧入することで、両者を連結することができるようになっている。また、連結杆４１の一端部４１ａと他端部４１ｂとのそれぞれの表面には、圧入状態を確実に維持できるように突起部（図示せず）を設けておくこともできる。さらに、連結杆４１の一端部４１ａ側と他端部４１ｂとのそれぞれに少なくとも１条以上のスリットをその長さ方向に設けることにより、可撓性を付与することもできる。
【００２３】
図３は、図２に示す連結杆４１の他例についての要部説明図であり、この例における連結杆４１は、略平行に配置された一対のアーム部４２，４２と、これらアーム部４２，４２相互の略中心位置に架け渡された連結部４３とで略Ｈ形を呈する一体形状となって形成されている。
【００２４】
また、各アーム部４２には、それぞれの両端部の対応部位に可撓性を保持して外方に向けて突出させた圧接端部４２ａがそれぞれ設けられており、これら各圧接端部４２ａを介して一方の表示体２の穴部２７と他方の表示体３の穴部３５とに連結杆４１として圧接状態のもとで挿入しておくことができるようになっている。
【００２５】
図４は、本発明の他例を図２との対応関係のもとで示す分解説明図であり、この例では、上方に位置する表示体２と下方に位置する表示体３とは、表示体２に突設された連結軸部２９と、表示体３の穴部３５とからなる連結手段４を介することで、つまり、連結軸部２９を穴部３５に圧入することで、相互に連結できるようになっている。なお、この例においても、連結軸部２９の表面には、圧入状態を確実に維持できるように突起部（図示せず）を設けておくことができるほか、図３に示す連結杆４１と同様な作用効果を奏させるべく、穴部３５への可撓性を伴った圧入が自在な少なくとも二股以上の分岐部（図示せず）として形成することもできる。
【００２６】
図５は、図１において下方に位置している表示体３についての他例を示す正面図であり、この場合、表示体３は、縦辺である各長辺ａと、横辺である各短辺ｂとの長さ比が２：１となって形成されており、四辺の各中間位置には、図２と同様に穴部３５が各別に形成されている点で相違し、その他は図２におけると同一の構造が付与されて形成されている。
【００２７】
図６は、図５に示す表示体３を６個用いた場合における本発明の一例につきその一部を切り欠いて示す正面図である。これによれば、本発明のシート状小片収納展示具１は、図１に示す表示体２に対し図５に示す表示体３を連結杆４１を介して連結させた図１に示すパターンを基本形とし、該表示体３３の左右に各１個の同じ表示体３を配置し、対向関係にある穴部３５，３５相互に連結杆４１を圧入してそれぞれが連結される。このようにして横並びとなった３個の各表示体３には、同様にして横並びに連結させた３個の同じ表示体３をその下方位置からそれぞれ連結杆４１を介して相互を連結することにより、シート状小片収納展示具１の全体が組み立てられている。
【００２８】
また、この例においては、図２におけると同様に表示体２の裏面２１ｂ側に固着された姿勢保持体２５としてのマグネット体２６を磁性ボード等の磁性相手材に磁着させることで、その全体を位置固定することができることになる。なお、図示は省略してあるが、表示体３の側に予め図８に示すような起伏スタンドを取り付けておくならば、例えば図９に示すような起立状態のもとで棚などの水平面に立て掛けておくことができる。
【００２９】
図７は、本発明の他例を示す正面図であり、この例においても連結手段４を介して相互が接離自在に連結される計４個の表示体５により構成されている。この場合、連結手段４は、一方の表示体５に突設された嵌合凸部４６と、他方の表示体５の対応部位に設けられて嵌合凸部４６と嵌合する嵌合凹部４７とで形成されることになる。
【００３０】
これを図７に即してより具体的に説明すれば、各表示体５は、相互に隣接する一方の長辺ａと短辺ｂとの所定の対称位置に１以上の、図示例では長辺ａに計４個の嵌合凸部４６を、短辺ｂに計２個の嵌合凸部４６をそれぞれ設け、残りの長辺ａと短辺ｂとの同一位置に１以上の、図示例では長辺ａに計４個の嵌合凹部４７を、短辺ｂに計２個の嵌合凹部４７をそれぞれ設けることで形成されている。この場合、嵌合凸部４６の長さ方向での一端部に図８（ｂ）や図９にに示されているように漸減する薄肉部４６ａを設けておき、後述するストッパー４８とのより好ましい対応を図っておくこともできる。
【００３１】
しかも、各表示体５は、図８（ｂ）に示すようにその表面５１ａ側に例えばカメラ付携帯電話機等を介して取得された撮像情報をプリントして得られるミニサイズの写真などを表示媒体とするシート状小片Ｐを収納すべく、周縁部を隆起させた保持枠部５３により囲繞形成された収納部５２を有するケース本体部５１と、該収納部５２に着脱自在に覆設されてシート状小片Ｐを保護する透明カバー５４と、裏面５１ｂ側に姿勢保持体２５として配設されているマグネット体２６と起伏スタンド５６とを備えて形成されている。該起伏スタンド５６は、図８（ａ）に示すように略コ字形を呈する本体部５７の各開放端側に延設したそれぞれの掛止腕部５８を介して、ケース本体部５１側の掛合穴５３に回動自在に掛止されている。なお、図示例では、起伏スタンド５６がケース本体部５１の長辺ａに沿わせて配設されているが、必要に応じケース本体部５１の短辺ｂ方向に沿わせて配設することもできる。
【００３２】
この場合、各嵌合凹部４７には、図１０（ａ），（ｂ）に示すように嵌合凸部４６の差込み停止位置を規制すべく楔状に傾斜させたストッパー４８を、嵌合凸部４６の差込み開始側とは反対側に位置する例えば表面５１ａ側である先端部側に設けておくこともできる。
【００３３】
また、図７に示す表示体５は、必要に応じ図２の表示体３と同様にその表裏両面に収納部を設け、それぞれに透明カバーを覆設してシート状小片を保護できるようにして形成することもできる。さらに、表示体５は、縦辺である各長辺ａと横辺である各短辺ｂとの長さ比を２：１となるようにして形成しておくのが好ましい。
【００３４】
次に、上記構成からなる本発明について、まず、図１に示す例に基づいてその作用・効果を説明すれば、シート状小片収納展示具１の全体は、適宜のキャラクターが表示されたシート状小片Ｐや直接絵柄が描示されている表面２１ａを表出させた表示体２と、写真などを表示媒体とするシート状小片Ｐが収納された表示体３とを、図２に示すように連結杆４１を介して相互に連結することで直ちに組み上げることができる。また、シート状小片収納展示具１は、表示体２の裏面２１ｂに固着してある姿勢保持体２５としてのマグネット体２６を介して磁性ボード等の適宜の磁性相手材に磁着して安定的に展示することができる。
【００３５】
このとき、連結杆４１として図３に示す略Ｈ形状を呈するものを用いるときは、一対のアーム部４２，４２が備える各圧接端部４２ａを介してその連結状態をより確実に維持させることができるばかりでなく、可撓性を備えていることからその抜脱もより容易に行うことができる。
【００３６】
また、本発明を図６に示す例に基づいてその作用・効果を説明すれば、まず、適宜のキャラクターが表示されたシート状小片Ｐや直接絵柄が描示されている表面２１ａを表出させた表示体２と、写真などを表示媒体とするシート状小片Ｐが収納された表示体３とを連結する。この場合、各表示体３は、図５に示すように四辺の各中間位置に穴部３５が形成されているので、左右や上下方向に連結杆４１を介在させながら連続的に連結してシート状小片収納展示具１の全体を形成することができるので、各シート状小片Ｐを多様なパターンのもとで一覧表示することができる。また、表示体３が、図３に示すようにその表裏両面３１ａ，３１ｂに収納部３２を備えている場合には、同じ表示体３を用いて２種類のパターンのシート状小片Ｐを収納させることができるので、介在させてある連結杆４１側から引き抜いて裏返して再び連結すれば、新規な面を表出させてその展示を楽しむことができる。
【００３７】
しかも、シート状小片収納展示具１の全体は、表示体２の裏面２１ｂに固着してある姿勢保持体２５としてのマグネット体２６を介して磁性ボード等の適宜の磁性相手材に磁着して安定的に展示することができる。なお、この例においても、図８に示す表示体５と同様に起伏スタンド５６を具備させておくことができ、その場合には、棚板などの水平面に起伏スタンド５６を介して立て掛けることで、図６に示すシート状小片収納展示具１の全体を展示することもできる。
【００３８】
一方、本発明を図７に示す例に基づいてその作用・効果を説明すれば、各表示体５は、縦辺である各長辺ａと横辺である各短辺ｂとの長さ比が２：１となるようにして形成されている。また、これらの各表示体５は、相互に隣接する一方の長辺ａの対称位置に計４個の嵌合凸部４６を、短辺ｂの対称位置に各２個の嵌合凸部４６をそれぞれ設け、残りの長辺ａの同一位置に各４個の嵌合凹部４７を、短辺ｂの同一位置に計２個の嵌合凹部４７をそれぞれ設けて形成されている。このため、縦長方向に隣接配置される一方の表示体５の各嵌合凹部４７に他方の表示体５の対応する各嵌合凸部４６を各別に差し込んで嵌合させることにより、例えば図７において左半分の側に位置する表示体５，５相互のようにして連結させることができる。
【００３９】
また、縦長方向に配置された表示体５の嵌合凸部４６を備える長辺ａに対し、嵌合凹部４７を備えるそれぞれの短辺ｂを向き合わせて２個の表示体５を、予め図７において左半分に側に位置する表示体５，５相互のようにして連結した上で、横長方向に配置し、各嵌合凹部４７に対応関係にあるる各嵌合凸部４６を各別に差し込んで嵌合させることにより、例えば図７において右半分の側に位置する表示体５，５相互のようにして連結させることができる。このようにして一例としてのシート状小片収納展示具１を組み上げることができる。
【００４０】
このとき、各嵌合凹部４７に図１０に示すように嵌合凸部４６の差込み停止位置を規制すべく楔状に傾斜させたストッパー４８を設けてある場合には、比較的幼い子供であっても、常に正しく位置決めしながら各表示体相互を連続的に連結させることができる。また、この場合、嵌合凸部４６の一端部に薄肉部４６ａが形成されている場合には、ストッパー４８との関係でより好ましい状態で位置規制をすることができる。
【００４１】
しかも、表示体５が図８に示すようにその裏面５１ｂ側に姿勢保持体２５として配設されているマグネット体２６と起伏スタンド５６とを備えて形成されている場合には、引き出した姿勢保持体２５としての起伏スタンド５６を介して棚板等の水平面上に立て掛けてシート状小片収納展示具１の全体を展示することができる。また、シート状小片収納展示具１の展示位置が磁性ボード等の適宜の磁性相手材からなる垂直面である場合には、起伏スタンド５６を裏面５１ｂ側に倒伏させて仕舞い込んだ上で、姿勢保持体２５としてのマグネット体２６を磁着させることで、簡単に展示することができる。したがって、シート状小片収納展示具１は、個々の展示位置の状況に即応させながら円滑、且つ、安定的に展示することができる。
【００４２】
以上、図示例にしたがい、本発明の好適な実施形態について説明したが、本発明のシート状小片収納展示具は、上記図示例に限定されるものではなく、所望に応じた各種の組合せのもとで種々の構成パターンを形成して展示することができる。例えば、図１の例については、表示体３の側を横長方向に配置して表示体２と連結させることもできる。
【００４３】
また、本実施形態においては、個々の表示体２，３，５のケース本体部２１，３１，５１は、プラスチック等の合成樹脂材料で形成されているが、これに限定されるものではない。例えば、その形成材料としては、例えば木材や軽量金属材料を用いることもできる。
【００４４】
また、嵌合凹部４７内に設けられるストッパー４８は、図示例の形状に限定されることものではなく、例えば、出口側に何らかの障害物を付設してその飛び出しを阻止するようにしてもよい。
【００４５】
なお、この実施形態において、本発明のシート状小片収納展示具には、カメラ付携帯電話機等が取得した撮像情報をプリンタを介してプリントしたミニサイズの写真をシート状小片として収納・展示するパターンを好適例として説明しているが、これに限らずミニサイズのものであれば、例えば切手などを含む各種のシート状小片を収納・展示するすることもできる。
【図面の簡単な説明】
【００４６】
【図１】本発明の一例を示す正面図。
【図２】図１におけるＡ−Ａ線矢視方向での断面についての分解説明図。
【図３】連結手段を構成する連結杆の好適例を示す要部説明図。
【図４】本発明の他例を図２との対応関係のもとで示す分解説明図。
【図５】本発明を構成している表示体の他例を示す正面図。
【図６】本発明の応用例について一部を切り欠いて示す正面図。
【図７】本発明のさらなる他例を示す正面図。
【図８】図７に示す表示体の裏面図の一例を（ａ）として、同右側面図を（ｂ）としてそれぞれ示す。
【図９】図８に示す表示体の立て掛け状態を示す右側面図。
【図１０】図７において連結手段を構成している嵌合凹部の好適例を示すものであり、そのうちの（ａ）は要部拡大斜視図を、（ｂ）はその要部縦断面図ををそれぞれ示す。
【符号の説明】
【００４７】
１  シート状小片収納展示具
２，３，５  表示体
２１，３１，５１  ケース本体部
２１ａ，３１ａ，５１ａ  表面
２１ｂ，３１ｂ，５１ｂ  裏面
２２，３２，５２  収納部
２３，３３，５３  保持枠部
２４，４３，５４  透明カバー
２５  姿勢保持体
２６  マグネット体
２７  穴部
２８，３６  差込口
２９  連結軸部
４  連結手段
４１  連結杆
４１ａ  一端部
４１ｂ  他端部
４２  アーム部
４２ａ  圧接端部
４３  連結部
４６  嵌合凸部
５６ａ  薄肉部
４７  嵌合凹部
４８  ストッパー
５３  掛合穴
５６  起伏スタンド
５７  本体部
５８  掛止腕部
ａ  長辺
ｂ  短辺
Ｐ  シート状小片
【図１】
2005168909.tif 000003
【図２】
2005168909.tif 000004
【図３】
2005168909.tif 000005
【図４】
2005168909.tif 000006
【図５】
2005168909.tif 000007
【図６】
2005168909.tif 000008
【図７】
2005168909.tif 000009
【図８】
2005168909.tif 000010
【図９】
2005168909.tif 000011
【図１０】
2005168909.tif 000012